(57)【要約】【課題】容易に麺を巻き取ることができる麺用フォークを提供する。【解決手段】麺用フォーク１０は、先端に複数の爪部１１が設けられたヘッド部１２を柄部１３の一方の端部に備えている。爪部１１の互いに対向する内側面は、厚み方向の中央部が長さ方向に沿って窪んだ凹面状とされている。爪部１１の内側面と、爪部１１の厚み方向において対向する対向面とのなす角は鋭角に形成されている。また、爪部１１の間隔は、基端部に比べて、先端部の方が広くなるように形成されている。【選択図】図１
2018158021.tif 000002
【特許請求の範囲】
【請求項１】
先端に複数の爪部が設けられたヘッド部を柄部の一方の端部に備えた麺用フォークであって、
前記各爪部の互いに対向する内側面は、厚み方向の中央部が長さ方向に沿って窪んだ凹面状であり、
前記内側面と、前記各爪部の厚み方向において対向する対向面とのなす角は鋭角である
ことを特徴とする麺用フォーク。
【請求項２】
前記内側面の窪みの最大深さは、前記爪部の長さ方向における中央部よりも基端部側において、０．５ｍｍ以上２．５ｍｍ以下であることを特徴とする請求項１記載の麺用フォーク。
【請求項３】
前記各爪部の間隔は、基端部に比べて、先端部の方が広いことを特徴とする請求項１又は請求項２記載の麺用フォーク。
【請求項４】
前記爪部の厚みは、前記爪部の長さ方向における中央部よりも基端部側において、３ｍｍ以上８ｍｍ以下であることを特徴とする請求項１から請求項３のいずれか１に記載の麺用フォーク。
【請求項５】
前記爪部は、２本であることを特徴とする請求項１から請求項４のいずれか１に記載の麺用フォーク。
【発明の詳細な説明】
【技術分野】
【０００１】
本発明は、スパゲティー等の麺状の食品（以下、麺という）を食するのに適した麺用フォークに関する。
【背景技術】
【０００２】
スパゲティー等の麺を食する際には、一般に、箸やフォークが用いられている。このうち、フォークは、先端に複数の爪部が設けられたヘッド部が柄部の一方の端部に設けられた構造を有しており、箸に比べて、だれもが簡単に使うことができるという特徴を有している。
【先行技術文献】
【特許文献】
【０００３】
【特許文献１】特開２００７−５４５７９号公報
【発明の概要】
【発明が解決しようとする課題】
【０００４】
しかしながら、従来のフォークでは、爪部に麺を巻き付けようとしても、滑ってしまい、うまく巻けないことがあった。また、爪部に一口で食べるには多すぎる量の麺が巻き付いてしまい、食べにくいこともあった。
【０００５】
本発明は、このような問題に基づきなされたものであり、容易に麺を巻き取ることができる麺用フォークを提供することを目的とする。
【０００６】
なお、特許文献１には、食べ物を食べるため先端部に食べ物を刺す複数の櫛歯と手で持つ握り柄とからなる飲食用フォークの櫛歯の先端に、複数の突設されたカギ止めを形成したフォークが記載されている。このフォークは、櫛歯の先端に形成したカギ止め部に食物を止めて落下を防止するものであり、本願発明本とは、目的及び構成が全く異なっている。
【課題を解決するための手段】
【０００７】
本発明の麺用フォークは、先端に複数の爪部が設けられたヘッド部を柄部の一方の端部に備えたものであって、各爪部の互いに対向する内側面は、厚み方向の中央部が長さ方向に沿って窪んだ凹面状であり、内側面と、各爪部の厚み方向において対向する対向面とのなす角は鋭角であることを特徴とするものである。
【発明の効果】
【０００８】
本発明によれば、各爪部の互いに対向する内側面を凹面状とするようにしたので、各爪部の間に麺の収納空間を確保することができる。また、各爪部の内側面と、各爪部の厚み方向において対向する対向面とのなす角を鋭角とするようにしたので、内側面における麺の接触面積を小さくすることができ、各爪部の間に麺が入る際の抵抗が小さくなり、麺に差し込みやすくすることができる。更に、麺を巻くときには、適度な摩擦力が生み出されるので、容易に巻き取ることができる。
【０００９】
また、各爪部の間隔を基端部に比べて先端部の方を広くするようにすれば、巻き取った麺が抜けやすくなり、口の中で麺を取れやすくすることができる。
【００１０】
更に、爪部の厚みを爪部の長さ方向における中央部よりも基端部側において３ｍｍ以上８ｍｍ以下とするようにすれば、麺を容易に巻き取ることができ、かつ、口の中に入れやすくすることができる。
【００１１】
加えて、爪部を２本とするようにすれば、巻き取られる麺の量が制限され、麺が多く巻き付いてしまうことを抑制することができ、一口で食べるのに適度な量とすることができる。
【図面の簡単な説明】
【００１２】
【図１】本発明の一実施の形態に係る麺用フォークの構成を表わす図である。
【図２】図１に示したＩＩ−ＩＩ線に沿った拡大端面図である。
【図３】本発明の変形例を表す拡大端面図である。
【発明を実施するための形態】
【００１３】
以下、本発明の実施の形態について図面を参照して詳細に説明する。
【００１４】
（一実施の形態）
図１は、本発明の一実施の形態に係る麺用フォーク１０の構成を表すものであり、（Ａ）は上からみた図、（Ｂ）は横からみた図である。図２は、図１に示したＩＩ−ＩＩ線に沿った端面構成を拡大して表すものである。この麺用フォーク１０は、スパゲティー等の麺を食するのに適したものであり、先端に複数の爪部１１が設けられたヘッド部１２を柄部１３の一方の端部に備えている。この麺用フォーク１０は、例えば、プラスチックや金属により構成される。
【００１５】
爪部１１は、例えば、２本設けられている。２本とすることにより、巻き取れる麺の量が制限され、一口で食べるのに適度な量とすることができるからである。爪部１１の間隔、すなわち間の距離は、基端部に比べて、先端部の方が広くなるように形成されていることが好ましい。巻き取った麺が抜けやすくなり、口の中で麺を取れやすくすることができるからである。
【００１６】
爪部１１の間隔は、爪部１１の長さ方向における中央部よりも基端部側において、例えば、４ｍｍから７ｍｍ程度とすることが好ましい。これよりも狭いと巻き付けることができる麺の量が少なくなり、これによりも広いと麺が巻きつきにくくなってしまうからである。爪部１１の先端部における間隔は、例えば、１５ｍｍから２５ｍｍ程度とすることが好ましい。この範囲において食べやすくすることができるからである。
【００１７】
爪部１１の互いに対向する内側面１１Ａは、厚み方向の中央部が長さ方向に沿って窪んだ凹面状とされていることが好ましい。例えば、内側面１１Ａは、厚み方向において端部から中央部に向かい弓なりに湾曲して窪んでおり、この窪みが長さ方向に連続して形成されていることが好ましい。爪部１１の間に麺の収納空間を確保することができるからである。
【００１８】
また、爪部１１の内側面１１Ａと、爪部１１の厚み方向において対向する対向面１１Ｂとのなす角は鋭角に形成されていることが好ましい。これにより、内側面１１Ａにおける麺の接触面積が小さくなり、各爪部１１Ａの間に麺が入る際の抵抗を小さくすることができると共に、麺を巻くときに適度な摩擦力が生じ、麺を容易に巻き取ることができるからである。
【００１９】
内側面１１Ａの窪みの最大深さは、爪部の長さ方向における中央部よりも基端部側において、０．５ｍｍ以上２．５ｍｍ以下であることが好ましい。これよりも浅いと十分な効果を得ることが難しく、これよりも深いと内側面１１Ａと対向面１１Ｂとのなす角が小さくなり、麺が切れてしまう可能性があり、また、口当たりが悪くなるからである。内側面１１Ａの先端側における窪みの深さは、基端部側と同一としてもよいが、先端において徐々に浅くするようにしてもよい。
【００２０】
なお、爪部１１の基端部における各爪部１１の間は、内側面１１Ａから連続する凹面状となっていてもよいが、平面状とされていてもよい。
【００２１】
爪部１１の厚みは、爪部の長さ方向における中央部よりも基端部側において、３ｍｍ以上８ｍｍ以下とすることが好ましい。これよりも薄いと麺を巻きにくくなり、これよりも厚いと麺を巻いた時の大きさが大きくなり口に入れにくくなるからである。爪部１１の先端側における厚みは、基端部側と同一としてもよいが、先端において徐々に薄くすることが好ましい。口当たりがよく食べやすいからである。
【００２２】
この麺用フォーク１０では、例えば、爪部１１を麺に差して、２〜３回程度、回すことにより、爪部１１に麺を巻き付けて持ち上げることができる。その際、爪部１１に巻きつく麺の量は、標準的な太さのスパゲティーであれば３〜４本であり、一口で食べるのに丁度良い量となる。また、口の中に入れた時には、簡単に麺がほどけ、爪部１１から外れる。
【００２３】
このように、本実施の形態によれば、爪部１１の内側面１１Ａを凹面状とするようにしたので、爪部１１の間に麺の収納空間を確保することができる。また、爪部１１の内側面１１Ａと、爪部の対向面１１Ｂとのなす角を鋭角とするようにしたので、内側面１１Ａにおける麺の接触面積を小さくすることができ、爪部１１の間に麺が入る際の抵抗が小さくなり、麺に差し込みやすくすることができる。更に、麺を巻くときには、適度な摩擦力が生み出されるので、容易に巻き取ることができる。
【００２４】
また、爪部１１の間隔を基端部に比べて先端部の方を広くするようにすれば、巻き取った麺が抜けやすくなり、口の中で麺を取れやすくすることができる。
【００２５】
更に、爪部１１の厚みを爪部１１の長さ方向における中央部よりも基端部側において３ｍｍ以上８ｍｍ以下とするようにすれば、麺を容易に巻き取ることができ、かつ、口の中に入れやすくすることができる。
【００２６】
加えて、爪部１１を２本とするようにすれば、巻き取られる麺の量が制限され、麺が多く巻き付いてしまうことを抑制することができ、一口で食べるのに適度な量とすることができる。
【００２７】
（変形例）
上記実施の形態では、爪部１１が２本の場合について説明したが、図３に示したように、３本以上設けるようにしてもよい。３本以上設けるようにすれば、麺の巻き取り量が多くなるので、例えば、鍋や大皿から麺を取る時に好ましく用いることができる。その他の構成は、上記実施の形態と同一である。
【００２８】
以上、実施の形態及び変形例を挙げて本発明を説明したが、本発明は上記実施の形態及び変形例に限定されるものではなく、種々変形可能である。例えば、上記実施の形態及び変形例では、各構成要素について具体的に説明したが、全ての構成要素を備えていなくてもよく、また、他の構成要素を備えていてもよい。
【産業上の利用可能性】
【００２９】
麺を食する際に用いることができる。
【符号の説明】
【００３０】
１０…麺用フォーク、１１…爪部、１１Ａ…内側面、１１Ｂ…対向面、１２…ヘッド部、１３…柄部
【図１】
2018158021.tif 000003
【図２】
2018158021.tif 000004
【図３】
2018158021.tif 000005
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
先端に複数の爪部が設けられたヘッド部を柄部の一方の端部に備えたスパゲティー用フォークであって、
前記各爪部の互いに対向する内側面は、厚み方向の中央部が長さ方向に沿って窪んだ凹面状であり、
前記内側面と、前記各爪部の厚み方向において対向する対向面とのなす角は鋭角であり、
前記爪部の厚みは、前記爪部の長さ方向における中央部よりも基端部側において、３ｍｍ以上８ｍｍ以下であり、
前記爪部の外側面は、厚み方向の中央部が突出した湾曲凸面状である
ことを特徴とするスパゲティー用フォーク。
【請求項２】
前記内側面の窪みの最大深さは、前記爪部の長さ方向における中央部よりも基端部側において、０．５ｍｍ以上２．５ｍｍ以下であることを特徴とする請求項１記載のスパゲティー用フォーク。
【請求項３】
前記各爪部の間隔は、基端部に比べて、先端部の方が広いことを特徴とする請求項１又は請求項２記載のスパゲティー用フォーク。
【請求項４】
前記爪部は、２本であることを特徴とする請求項１から請求項３のいずれか１に記載のスパゲティー用フォーク。